(57)【要約】      （修正有）【課題】雪を掻き下ろすためのレールとモターを取り付けた簡単な設備の提供。【解決手段】回転式雪下ろし機架台に移動用ローラーを前後に取り付け、回転式雪下ろし機移動用歯車及び回転式雪下ろし機移動用モーター（減速機付き）を雪掻きローラー４及び前部雪掻きローラー６の動作範囲内に収まるように取り付ける。屋根の尾根には固定レールを直接接着剤で取りつけて、親機架台に移動用ローラーを前後に取り付け、前後移動用歯車２６の刃先をレールの歯車噛み込み穴に差し込んで、親機移動用モーター２４によって前後に移動出来る構造とし、回転式雪下ろし機移動用レール２０を取り付け回転式雪下ろし機本体を搭載して尾根を横に移動出来る構造とする。【選択図】図７
2007285111.tif 000002
【特許請求の範囲】
【請求項１】
図１〜４は回転式雪下ろし機本体の正面図、平面図及び側面図である。
回転式雪下ろし機架台３０に移動用ローラー１８を前後に取り付け、回転式雪下ろし機移動用歯車１９及び回転式雪下ろし機移動用モーター２１（減速機付き）を雪掻きローラー４及び前部雪掻きローラー６の動作範囲内に収まるように取り付ける。
回転式雪下ろし機移動用歯車１９の刃先を回転式雪下ろし機移動用レール２０の歯車噛み込み穴６０に差し込んで、回転式雪雪下ろし機移動用モーター２１（減速機付き）によって前後に移動出来る構造とする。
回転式雪下ろし機架台３０にはスクリュージャッキ２８を取り付け、スクリュージャッキ動作モーター２７によって上下に伸び縮動作出来るものとし、雪掻き機主モーター１７を取り付ける。
雪掻き機主モーター１７の両側回転軸に雪掻きボード開閉歯車５と連結第１歯車１２、連結第２歯車１１（２連歯車）、前部雪掻きローラー回転歯車７及び前部雪掻きプロペラ回転歯車９からなる連結バー１３及び雪掻きローラー４、雪掻きボード１のベアリング、雪掻きプロペラ３を順に差し込んで固定する。
次に連結バー１３の先端にそれぞれ前部雪掻きローラー８及び前部雪掻きプロペラ６をベアリングを介して連結し、前部雪掻きローラー架台１０に取り付けて雪掻き機主モーター１７の回転軸と一緒に回転出来る構造とする。
雪掻き機主モーター１７側の雪掻きボード１、雪掻きローラー４及び雪掻きプロペラ３はスクリュージャッキ２８の動作によっ上下に移動出来るものとする。
雪掻きボード１は雪掻きボード移動用モーター１５と雪掻きボード回転連結歯車１６によって雪掻きボード回転歯車５を回転させて、雪掻きボードストッパー２９と雪掻きボードストッパー１４の間を９０度回転移動出来るように取り付けリミットスイッチでコントロールする。
又屋根の尾根には固定レール２２をレール取り付け金具６１とゴムマット６２で屋根に直接接着剤で取りつけて、親機架台３２に移動用ローラー２５を前後に取り付け、前後移動用歯車２６の刃先をレールの歯車噛み込み穴６０に差し込んで、親機移動用モーター２４によって前後に移動出来る構造とし図７のように回転式雪下ろし機移動用レール２０を取り付け回転式雪下ろし機本体を搭載して尾根を横に移動出来る構造とする。
屋根の中央には図８のように固定レール３５を回転式雪下ろし機本体の幅で等間隔に設ける。
上記のように構成された回転式雪下ろし機
【請求項２】
図１７〜１８は雪掻き機主モーター１７の両側回転軸に雪掻きローラー及び雪掻きプロペラを取り付けた方法ではモーターのトルクが足りない場合に両側にギャーモーターを配置した例である。
第１ギャーモーター５８、第２ギャーモーター５９を設け、モター本体にベアリングを３カ所取り付けて雪掻きボード開閉歯車５４、連結バー５５、雪掻きローラー４と一体になった連結第１ギャー５６をそれぞれに取り付け、．第１ギャーモーター５８の連結第１ギャー５６は前部雪掻きプロペラ回転ギャー５１とチェーン５３で連結され、第２ギャーモーター５９の連結第１ギャー５６は前部雪掻きローラー回転ギャー５２とチェーン５３で連結されて回転する。
ギャーモーターを取り付けた回転式雪下ろし機
【発明の詳細な説明】
【技術分野】
【０００１】  この発明は屋根の雪下ろし機寝たに関する。
【背景技術】
【０００２】  融雪と言う方法があるが設備費と光熱費が高かった。
【発明の開示】
【発明が解決しようとする課題】
【０００３】  この発明は従来、豪雪地帯での屋根の雪降ろしは人が直接屋根に上ってスコップなどで掻き下ろすには、労働的負担や高齢者などの屋根からの転落事故の危険があった。
融雪という究極な方法もあるが設備費及び光熱費が高いと言う欠点があった。
レールとモターを取り付けた簡単な設備で雪を掻き下ろす事を目的としている。
【課題を解決するための手段】
【０００４】  図面に基づいて説明すると、図１〜４は回転式雪下ろし機本体の正面図、平面図及び側面図である。
回転式雪下ろし機架台３０に移動用ローラー１８を前後に取り付け、回転式雪下ろし機移動用歯車１９及び回転式雪下ろし機移動用モーター２１（減速機付き）を雪掻きローラー４及び前部雪掻きローラー６の動作範囲内に収まるように取り付ける。
回転式雪下ろし機移動用歯車１９の刃先を回転式雪下ろし機移動用レール２０の歯車噛み込み穴６０に差し込んで、回転式雪雪下ろし機移動用モーター２１（減速機付き）によって前後に移動出来る構造とする。
回転式雪下ろし機架台３０にはスクリュージャッキ２８を取り付け、スクリュージャッキ動作モーター２７によって上下に伸び縮動作出来るものとし、雪掻き機主モーター１７を取り付ける。
雪掻き機主モーター１７の両側回転軸に雪掻きボード開閉歯車５と連結第１歯車１２、連結第２歯車１１（２連歯車）、前部雪掻きローラー回転歯車７及び前部雪掻きプロペラ回転歯車９からなる連結バー１３及び雪掻きローラー４、雪掻きボード１のベアリング、雪掻きプロペラ３を順に差し込んで固定する。
次に連結バー１３の先端にそれぞれ前部雪掻きローラー８及び前部雪掻きプロペラ６をベアリングを介して連結し、前部雪掻きローラー架台１０に取り付けて雪掻き機主モーター１７の回転軸と一緒に回転出来る構造とする。
雪掻き機主モーター１７側の雪掻きボード１、雪掻きローラー４及び雪掻きプロペラ３はスクリュージャッキ２８の動作によっ上下に移動出来るものとする。
雪掻きボード１は雪掻きボード移動用モーター１５と雪掻きボード回転連結歯車１６によって雪掻きボード回転歯車５を回転させて、雪掻きボードストッパー２９と雪掻きボードストッパー１４の間を９０度回転移動出来るように取り付けリミットスイッチでコントロールする。
又屋根の尾根には固定レール２２をレール取り付け金具６１とゴムマット６２で屋根に直接接着剤で取りつけて、親機架台３２に移動用ローラー２５を前後に取り付け、前後移動用歯車２６の刃先をレールの歯車噛み込み穴６０に差し込んで、親機移動用モーター２４によって前後に移動出来る構造とし図７のように回転式雪下ろし機移動用レール２０を取り付け回転式雪下ろし機本体を搭載して尾根を横に移動出来る構造とする。
屋根の中央には図８のように固定レール３５を回転式雪下ろし機本体の幅で等間隔に設ける。
【発明の効果】
【０００５】この発明は、以上説明したように豪雪地帯での屋根の雪降ろしにあたって労働的負担や高齢者などの屋根からの転落事故を無くする事を目的としている。
【発明を実施するための最良の形態】
【０００６】  以上のように構成された屋根の雪下ろし機で実際に雪を掻き下ろす手順を説明する。
両方向傾斜の屋根の雪下ろしには図７のように回転式雪下ろし機本体が尾根で屋根の傾斜に沿って回転式雪下ろし機移動用レール２０の中に収まっている状態でレールの高さまで雪が積もっていてレールの上にはさらに１０ｃｍ位い積もっていると仮定する。
回転式雪下ろし機本体は図７の状態にある、この状態でスクリュージャッキ動作モーター２７を動作させてスクリュウジャッキ２８を巻き上げて回転式雪下ろし機本体を最上段まで持ち上げ図８の状態にする。
その後雪掻き機主モーター１７を動作させて雪掻きローラー４及び雪掻きプロペラ３を雪が屋根下に掃き飛ばされる方向に回転させると共に連結バー１３連結された前部雪掻きローラー８及び前部雪掻きプロペラ６も同方向に回転させる。
次に雪掻きボード移動用モーター１５を動作させて雪掻きボード１を９０度回転させて垂直の状態にする、その後回転式雪下ろし機移動用モーター２１（減速歯車付き）が動作し回転式雪下ろし機移動用歯車１９がゆっくり回転し回転式雪下ろし機本体は回転式雪下ろし機移動用レール２０の中をゆっくり雪を掃き飛ばしながら軒下に移動する。
屋根の積雪は雪掻きローラー４及び前部雪掻きローラー８によって削られながらレールの上に積もった雪だけが屋根下に掃き飛ばされる、掻き残した解れた雪は雪掻きボード１により屋根の下に掻き下ろされる。
軒下まで掻き下ろすと回転式雪下ろし機移動用モーター２１（減速歯車付き）の電源を切り回転式雪下ろし機移動用歯車１９を停止させる、その後雪掻きボード移動用モーター１５を動作させて雪掻きボード１を９０度逆回転させて水平の状態にした後、雪掻き機主モーター１７は動作させたままの状態でスクリュージャッキ動作モーター２７を動作させてスクリュウジャッキ２８及びを回転式雪下ろし機本体を２〜３ｃｍ下げレールの高さより２〜３ｃｍ雪を削り掃き飛ばす。
その状態で回転式雪下ろし機移動用モーター２１（減速歯車付き）を逆転動作させて回転式雪下ろし機移動用歯車１９がゆっくり逆回転し、回転式雪下ろし機本体は回転式雪下ろし機移動用レール２０の中をゆっくり雪を掃き飛ばし雪をほぐしながら尾根に移動する。
屋根の尾根の最上部まで移動したら回転式雪下ろし機移動用モーター２１（減速歯車付き）を停止させ、雪掻きボード移動用モーター１５を動作させて雪掻きボード１を９０度回転させて垂直の状態にする、その後回転式雪下ろし機移動用モーター２１（減速歯車付き）を動作させて回転式雪下ろし機移動用歯車１９がゆっくり回転し回転式雪下ろし機本体は回転式雪下ろし機移動用レール２０の中をゆっくり雪を掃き飛ばしながら軒下に雪を掻き下ろす。
軒下まで掻き下ろしたら雪掻き機主モーター１７を停止し、雪掻きボード移動用モーター１５を動作させて雪掻きボード１を９０度逆回転させて水平の状態にした後、回転式雪下ろし機移動用モーター２１（減速歯車付き）を逆転動作させて回転し回転式雪下ろし機本体を尾根まで引き上げる。
尾根まで引き上げたら雪掻き機主モーター１７を動作させ、雪掻きローラー４及び雪掻きプロペラ３を雪が屋根下に掃き飛ばされる方向に回転させると共に連結バー１３連結された前部雪掻きローラー８及び前部雪掻きプロペラ６も同方向に回転させながら、スクリュウジャッキ２８を最下位まで下げて、親機の親機移動用モーター２４を動作させ親機移動用歯車２６によって回転し回転式雪下ろし機本体を回転式雪下ろし機移動用レール２０に搭載したまま尾根を横に移動する。
この時隣のレールまでの間に積もった雪を雪掻きプロペラ３及び前部雪掻きプロペラ６で屋根下方向に掃き飛ばしながら隣のレールまで移動する事が出来る。
隣のレールまで移動したら前記の最初の行程を行い雪を軒下に掻き下ろす。
次々に隣のレールに乗り移り２〜３ｃｍの積雪を屋根全体を満遍なく掻き下ろし屋根の最終レールまで掻き下ろしたらスクリュウジャッキ２８の掻き下ろし幅を一段階下げて逆送させて屋根の雪を掻き下ろす。
この作業を満遍なく繰り返しスクリュウジャッキ２８が最下位まで掻き下ろしたら屋根の雪はレールの下まで掻き下ろした事になる。
この状態で尾根の最上部に停止させて次の積雪がレールの上まで達したら積雪センサーにより再びスタートさせて雪下ろし作業を繰り返す。
【他の実施形態】
【０００７】図１０〜１１は軒下に軒下横引きレール４０を取り付けて回転式雪下ろし機移動用レール２０を屋根の幅にブリッジ状に設けレール移動用ローラー３９でレール全体が移動出来る構造とし、
レール移動用ローラー３９の両端をワイヤー３７でガイドローラー３８を介して尾根の親機架台３２に接続し親機と平行に移動出来るようにした例である。
こうする事でレールの数を減らす事が出来るが雪掻き行程は一カ所（一つのレーン）の積雪をレールの下まで全て掻き終わった後でなければ横への移動が出来ない。
この場合回転式雪下ろし機移動用レール２０からの幅は片翼部分しかの除雪されておらず横に移動出来る幅は片翼部分のみとなる。
屋根の全長が長い場合は一カ所（一つのレーン）の雪掻きを行っている間に他のレーンの積雪が多くなりスクリュウジャッキ２８の調節範囲を超える事があるので、小規模の民家にしか適さない。
図１２は屋根の上に屋根置き式横引きレール４１を設置した形である、レールが凍結するおそれのある所ではヒーター３４を設ける
図１３は屋根の全長が長いビニールハウスのような建築物に適用する、屋根の全長が長いと親機と回転式雪下ろし機移動用レール２０の先端をワイヤーで連結して引っ張る事は不可能で、軒下に移動用レールと移動用子機４２を設置し親機と平行に移動出来る構造とする。
屋根の全長が長いと回転式雪下ろし機一台では掻ききれないので、尾根と軒下に設けたレールの間に等間隔で数台回転式雪下ろし機を搭載させる。
［０００４］で述べた屋根の尾根の部分だけで横への移動を行う方法でも体育館のような屋根幅の長い建築物に使用する場合は、幾ら薄く掻き下ろしても軒下まで掻き下ろした場合に回転式雪下ろし機の能力を超えた量になるため、雪掻きの方法を変更する。
この場合の最初の雪掻き動作はレールの上に積もった僅かな幅だけ２回程度の分けて一気に掻き下ろし、レールの高さ以下に掻き下ろす時はレールの上に積もった雪だけを掻き終わり軒下に達した時にスクリュウジャッキ３を最下位まで下げてレールの高さ（１０〜１２ｃｍ）分を尾根まで１ｍ程掻き解し軒下まで掻き下ろす。このように軒下から積雪の厚さの分だけ幅を縮めて段階的に掻き下ろす。
図１４〜１６は異形の屋根の建築物に適用する、親機に子機傾け用モークー４４子機傾け用歯車４５及び子機回転移動用モーター４６子機回転移動用歯４８を設け、回転式雪下ろし機をレールの中に収納した状態で子機として搭載する。
この場合子機として搭載する回転式雪下ろし機は横への移動の時は積雪の上にあるので、移動用歯車及びモーターが図１６のように雪掻きローラー４及び前部雪掻きローラー８の外にはみ出ても動作上支障はない。
レールの本数は増えるが回転式雪下ろし機の両翼の幅で雪下ろしを行う事が出来る。
図１７〜１８は雪掻き機主モーター１７の両側回転軸に雪掻きローラー及び雪掻きプロペラを取り付けた方法ではモーターのトルクが足りない場合に両側にギャーモーターを配置した例である。第１ギャーモーター５８、第２ギャーモーター５９を設け、モター本体にベアリングを３カ所取り付けて雪掻きボード開閉歯車５４、連結バー５５、雪掻きローラー４と一体になった連結第１ギャー５６をそれぞれに取り付け、．第１ギャーモーター５８の連結第１ギャー５６は前部雪掻きプロペラ回転ギャー５１とチェーン５３で連結され、第２ギャーモーター５９の連結第１ギャー５６は前部雪掻きローラー回転ギャー５２とチェーン５３で連結されて回転する。
【実施例】
【０００８】  図１〜２は回転式雪下ろし機本体の正面図と平面図である。
雪掻き機主モーター１７の両側回転軸に連結第１歯車１２、連結第２歯車１１（２連歯車）、前部雪掻きローラー回転歯車７及び前部雪掻きプロペラ回転歯車９からなる連結バー１３を取り付けて、それぞれ前部雪掻きローラー８及び前部雪掻きプロペラ６をベアリングを介して連結し、雪掻き機主モーター１７の回転軸と一緒に回転出来る構造とする。
雪掻き機主モーター１７の両側の回転軸に雪掻きボード１、連結第１歯車１２、雪掻きローラー４、雪掻きプロペラ３、の順に差し込んで固定する。
図２〜３は回転式雪下ろし機本体の側面図である。
回転式雪下ろし機架台３０に移動用ローラー１８を前後に取り付け、回転式言下ろし機移動用歯車１９及び回転式雪下ろし機移動用モーター２１（減速機付き）を取り付け回転式雪下ろし機移動用歯車１９の刃先を回転式雪下ろし機移動用レール２０の歯車噛み込み穴６０に差し込んで、回転式雪雪下ろし機移動用モーター２１（減速機付き）によって前後に移動出来る構造とする。
回転式雪下ろし機架台３０にはスクリュージャッキ２８を取り付け、スクリュージャッキ動作モーター２７によって伸び縮動作出来るものとし、雪掻き機主モーター１７を本体を取り付ける。
雪掻き機主モーター１７の両側回転軸に連結第１歯車１２、連結第２歯車１１（２連歯車）、前部雪掻きローラー回転歯車７及び前部雪掻きプロペラ回転歯車９からなる連結バー１３を取り付けて、それぞれ前部雪掻きローラー８及び前部雪掻きプロペラ６をベアリングを介して連結し、雪掻き機主モーター１７の回転軸と一緒に回転出来る構造とする。
次に雪掻きローラー４と雪掻きボード１及び雪掻きプロペラ３を取り付けて、スクリュージャッキ２８の動作によっ上下に移動出来るものとする。
回転式雪下ろし機移動用歯車１９及び回転式雪下ろし機移動用モーター２１（減速機付き）は雪掻きローラー４及び前部雪掻きローラー６の動作範囲内に収まるように取り付ける。
雪掻きボード１は雪掻きボード移動用モーター１５と雪掻きボード回転連結歯車１６によって雪掻きボード回転歯車５を回転させて雪掻きボードストッパー２９と雪掻きボードストッパー１４の間を９０度回転移動出来るように取り付けリミットスイッチでコントロールする。
図５は回転式雪下ろし機本体の分解側面図である。
図６は親機の正面図（ａ）及び側面図（ｂ）である。
回転式雪下ろし機移動用レール２０はレール２２に接触しないように親機架台３２に直接取り付ける。
（ｃ）は親機の前後に取り付ける雪掻きスコップの側面図である。
（ｄ）は親機の前後に取り付ける雪掻きスコップの平面図である。
（ｅ）は親機の前後に取り付ける雪掻きスコップの正面図である。
図７は移動レールを屋根に固定し尾根の部分だけで横への移動を行う、回転式雪下ろし機の通常状態にある側面図である。
図８は移動レールを屋根に固定し尾根の部分だけで横への移動を行う、回転式雪下ろし機の最上位状態にある側面図である。
図９は移動レールを屋根に固定し尾根の部分だけで横への移動を行う、回転式雪下ろし機の全体図である、固定レール３５を回転式雪下ろし機本体の幅で等間隔に設ける。
屋根の尾根には固定レール２２をレール取り付け金具６１とゴムマット６２で屋根に直接接着剤で取りつけて、親機架台３２に移動用ローラー２５を前後に取り付け、前後移動用歯車２６の刃先をレールの歯車噛み込み穴６０に差し込んで、親機移動用モーター２４によって前後に移動出来る構造とし回転式雪下ろし機移動用レール２０を取り付け回転式雪下ろし機本体を搭載して尾根を横に移動出来る構造とする。
図１０〜１１は軒下にレールを取り付けた親機及び回転式雪下ろし機の全体図と側面図である。軒下に軒下横引きレール４０を取り付けて回転式雪下ろし機移動用レール２０を屋根の幅にブリッジ状に設けレール移動用ローラー３９でレール全体が移動出来る構造とし、
レール移動用ローラー３９の両端をワイヤー３７でガイドローラー３８を介して尾根の親機架台３２に接続し親機と平行に移動出来るように取り付ける。
図１２は横引きレールを屋根の上に設置した形である、レールが凍結するおそれのある所ではヒーター３４を設ける
図１３は屋根が長いビニールハウスのような建築物に適用する、屋根の全長が長いと親機と回転式雪下ろし機移動用レール２０の先端をワイヤーで連結して引っ張る事は不可能で、軒下に移動用レールと移動用子機４２を設置する
屋根の全長が長いと回転式雪下ろし機一台では掻ききれないので、尾根と軒下に設けたレールの間に等間隔で数台回転式雪下ろし機を搭載させる。
図１４〜１６は異形の屋根の建築物に適用する、親機に子機傾け用モーター４４．子機傾け用歯車４５．及び子機回転移動用モーター４６．子機回転移動用歯４８を設け、回転式雪下ろし機をレールの中に収納した状態で子機として搭載する。
この場合子機として搭載する回転式雪下ろし機は横への移動の時は積雪の上にあるので、移動用歯車及びモーターが雪掻きプロペラ３及び前部雪掻きプロペラ６の外にはみ出ても動作上支障はない。
レールの本数は増えるが回転式雪下ろし機の両翼の幅で雪下ろしを行う事が出来る。
図１７〜１８は雪掻き機主モーターをギャーモターに変更した回転式雪下ろし機の正面図と平面図である。
雪掻き機主モーター１７の両側回転軸に雪掻きローラー及び雪掻きプロペラを取り付けた方法ではモーターのトルクが足りない場合に両側にギャーモーターを配置した例である。
第１ギャーモーター５８、第２ギャーモーター５９を設け、モター本体にベアリングを３カ所取り付けて雪掻きボード開閉歯車５４、連結バー５５、雪掻きローラー４と一体になった連結第１ギャー５６をそれぞれに取り付け、．第１ギャーモーター５８の連結第１ギャー５６は前部雪掻きプロペラ回転ギャー５１とチェーン５３で連結され、第２ギャーモーター５９の連結第１ギャー５６は前部雪掻きローラー回転ギャー５２とチェーン５３で連結されて回転する。
【産業上の利用可能性】
【０００９】屋根の全長が長いビニールハウス又は体育館のようなのような大規模の屋根に設ける事で、融雪より遙かな低コストで屋根の雪下ろしが出来る。
【図面の簡単な説明】
【０００９】
【図１】回転式雪下ろし機本体の正面図である。
【図２】回転式雪下ろし機本体の平面図である。
【図３】回転式雪下ろし機本体の通常状態にある側面図である。
【図４】回転式雪下ろし機本体の最上位状態にある側面図である。
【図５】回転式雪下ろし機本体の分解側面図である。
【図６】尾根移動用親機正面図（ａ）と側面図（ｂ）である。
【図７】移動レールを屋根に固定し尾根の部分だけで横への移動を行う、回転式雪下ろし機の通常状態にある側面図である。
【図８】移動レールを屋根に固定し尾根の部分だけで横への移動を行う、回転式雪下ろし機の最上位状態にある側面図である。
【図９】移動レールを屋根に固定し尾根の部分だけで横への移動を行う、回転式雪下ろし機の全体図である。
【図１０】軒下にレールを取り付けた親機及び回転式雪下ろし機の全体図である。
【図１１】軒下にレールを取り付けた回転式雪下ろし機の通常状態にある側面図である。
【図１２】屋根に屋根置き式横引きレールを設置した回転式雪下ろし機の側面図である。
【図１３】軒下に移動用レールと移動用子機を設置した回転式雪下ろし機の側面図である。
【図１４】首振り型回転式雪下ろし機の尾根移動用親機平面図である。
【図１５】首振り型回転式雪下ろし機の側面図である。
【図１６】首振り型回転式雪下ろし機の屋根取り付け立体図である。
【図１７】雪掻き機主モーターをギャーモターに変更した回転式雪下ろし機の正面図である。
【図１８】雪掻き機主モーターをギャーモターに変更した回転式雪下ろし機の平面図である。
【図１９】部品立体図である。
【符号の説明】
１．雪掻きボード
２．雪掻きボードアーム
３．雪掻きプロペラ
４．雪掻きローラー
５．雪掻きボード開閉歯車
６．前部雪掻きプロペラ
７．前部雪掻きローラー回転歯車
８．前部雪掻きローラー
９．前部雪掻きプロペラ回転歯車
１０．前部雪掻きローラー架台
１１．連結第２歯車
１２．連結第１歯車
１３．歯車連結バー
１４．雪掻きボード垂直ストッパー
１５．雪掻きボード動作モーター
１６．雪掻きボード回転連結歯車
１７．雪掻き機主モーター
１８．移動用ローラー
１９．回転式雪下ろし機移動用歯車
２０．回転式雪下ろし機移動用レール
２１．回転式雪下ろし機移動用モーター（減速歯車付き）
２２．親機移動用レール
２３．親機雪掻きスコップ
２４．親機移動用モーター
２５．親機移動用ローラー
２６．親機移動用歯車
２７．スクリュージャッキ動作モーター
２８．スクリュージャッキ
２９．雪掻きボード水平ストッパー
３０．回転式雪下ろし機架台
３１．回転式雪下ろし機雪掻きスコップ
３２．親機架台
３３．親機ケーブルドラム
３４．電気ヒーター
３５．回転式雪下ろし機固定レール
３６．回転式雪下ろし機ケーブルドラム
３７．ワイヤー
３８．ガイドローラー
３９．レール移動用ローラー
４０．軒下横引きレール
４１．屋根置き式横引きレール
４２．レール移動用子機
４３．親機移動用モーター
４４．子機傾け用モーター
４５．子機傾け用歯車
４６．子機回転移動用モーター
４７．親機ケーブルドラム
４８．子機回転移動用歯車
４９．親機移動用歯車
５０．子機ケーブルドラム
５１．前部雪掻きプロペラ回転ギャー
５２．前部雪掻きローラー回転ギャー
５３．チェーン
５４．雪掻きボード開閉歯車
５５．連結バー
５６．連結第１ギャー
５７．減速ギャー
５８．第１ギャーモーター
５９．第２ギャーモーター
６０．歯車噛み込み穴
６１．レール取り付け金具
６２．ゴムマット
【図１】
2007285111.tif 000003
【図２】
2007285111.tif 000004
【図３】
2007285111.tif 000005
【図４】
2007285111.tif 000006
【図５】
2007285111.tif 000007
【図６】
2007285111.tif 000008
【図７】
2007285111.tif 000009
【図８】
2007285111.tif 000010
【図９】
2007285111.tif 000011
【図１０】
2007285111.tif 000012
【図１１】
2007285111.tif 000013
【図１２】
2007285111.tif 000014
【図１３】
2007285111.tif 000015
【図１４】
2007285111.tif 000016
【図１５】
2007285111.tif 000017
【図１６】
2007285111.tif 000018
【図１７】
2007285111.tif 000019
【図１８】
2007285111.tif 000020
【図１９】
2007285111.tif 000021